(57)【要約】【課題】操作部の操作性を向上させることが可能な携帯電子機器を提供する。【解決手段】携帯電子機器は、筐体と、筐体に配置された複数の操作部１４と、複数の操作部１４に含まれる各操作部１４への操作を検出する操作検出部１６と、複数の操作部１４に含まれる各操作部１４に対して異なる操作内容が対応付けられた第１対応データと、複数の操作部１４に含まれる各操作部１４であって筐体における配置が互いに隣接し合う関係にあるものに対して同一の操作内容が対応付けられた第２対応データと、を記憶するメモリ４４と、所定の条件に応じてメモリ４４に記憶された第１対応データ及び第２対応データからいずれか一方を選択すると共に、選択された第１対応データ又は第２対応データに基づいて、操作部１４への操作が操作検出部１６により検出された場合に操作内容を実行する制御部４５とを有する。【選択図】図３
2011211284.tif 000002
【特許請求の範囲】
【請求項１】
筐体と、
前記筐体に配置された複数の操作部と、
前記複数の操作部に含まれる各操作部への操作を検出する操作検出部と、
前記前記複数の操作部に含まれる各操作部に対して異なる操作内容が対応付けられた第１対応データと、前記複数の操作部に含まれる各操作部であって前記筐体における配置が互いに隣接し合う関係にあるものに対して同一の操作内容が対応付けられた第２対応データと、を記憶する記憶部と、
所定の条件に応じて前記記憶部に記憶された前記第１対応データ及び前記第２対応データからいずれか一方を選択すると共に、当該選択された前記第１対応データ又は前記第２対応データに基づいて、前記操作部への操作が前記操作検出部により検出された場合に操作内容を実行する制御部と、を有する携帯電子機器。
【請求項２】
前記操作部は、前記第１対応データ及び前記第２対応データのうち一方の選択を指示するための指示操作部を有し、
前記制御部は、前記操作検出部により検出される前記指示操作部への操作に応じて、前記記憶部に記憶された前記第１対応データ及び前記第２対応データからいずれか一方を選択すると共に、当該選択された前記第１対応データ又は前記第２対応データに基づいて、前記操作部への操作が前記操作検出部により検出された場合に操作内容を実行する請求項１に記載の携帯電子機器。
【請求項３】
温度を検出する温度検出部を備え、
前記制御部は、前記温度検出部により所定の温度以下の温度が検出されると、前記記憶部に記憶された前記第２対応データを選択すると共に、当該選択された前記第２対応データに基づいて、前記操作部への操作が前記操作検出部により検出された場合に操作内容を実行する請求項１に記載の携帯電子機器。
【請求項４】
前記筐体は、前記第２対応データに対応付けられて前記複数の操作部に含まれる各操作部であって前記筐体における配置が互いに隣接し合う関係にあるものの少なくとも一つに対して操作可能なケース部材が、着脱可能とされる請求項１乃至請求項３のいずれか一項に記載の携帯電子機器。
【請求項５】
前記制御部は、前記ケース部材が前記筐体に装着されると、前記記憶部に記憶された前記第２対応データを選択すると共に、当該選択された前記第２対応データに基づいて、前記操作部への操作が前記操作検出部により検出された場合に操作内容を実行する請求項４に記載の携帯電子機器。
【請求項６】
前記筐体には、バッテリを収容するバッテリ収容空間が形成され、
前記ケース部材は、前記バッテリ収容空間を閉塞可能に構成される請求項４又は５に記載の携帯電子機器。
【発明の詳細な説明】
【技術分野】
【０００１】
本発明は、複数の操作部を備える携帯電子機器に関する。
【背景技術】
【０００２】
携帯電話機等の携帯電子機器は、筐体と、この筐体の表面に配置される複数の操作部（キー）とを備える（例えば、特許文献１を参照）。携帯電子機器は、複数の操作部のうちのいずれかが操作された場合には、例えば、操作された操作部に対応付けられた文字又は数字等をエディタプリケーションに入力させて、文字又は数字が入力されたエディタアプリケーションを表示部に表示させる。
【先行技術文献】
【特許文献】
【０００３】
【特許文献１】特開２００９−１８７５１９号公報
【発明の概要】
【発明が解決しようとする課題】
【０００４】
このように、複数の操作部を有する携帯電子機器においては、操作のさらなる向上が望まれている。
【０００５】
本発明は、操作部の操作性を向上させることが可能な携帯電子機器を提供することを目的とする。
【課題を解決するための手段】
【０００６】
本発明の携帯電子機器は、筐体と、前記筐体に配置された複数の操作部と、前記複数の操作部に含まれる各操作部への操作を検出する操作検出部と、前記前記複数の操作部に含まれる各操作部に対して異なる操作内容が対応付けられた第１対応データと、前記複数の操作部に含まれる各操作部であって前記筐体における配置が互いに隣接し合う関係にあるものに対して同一の操作内容が対応付けられた第２対応データと、を記憶する記憶部と、所定の条件に応じて前記記憶部に記憶された前記第１対応データ及び前記第２対応データからいずれか一方を選択すると共に、当該選択された前記第１対応データ又は前記第２対応データに基づいて、前記操作部への操作が前記操作検出部により検出された場合に操作内容を実行する制御部と、を有することを特徴とする。
【０００７】
また、前記操作部は、前記第１対応データ及び前記第２対応データのうち一方の選択を指示するための指示操作部を有し、前記制御部は、前記操作検出部により検出される前記指示操作部への操作に応じて、前記記憶部に記憶された前記第１対応データ及び前記第２対応データからいずれか一方を選択すると共に、当該選択された前記第１対応データ又は前記第２対応データに基づいて、前記操作部への操作が前記操作検出部により検出された場合に操作内容を実行することが好ましい。
【０００８】
また、前記携帯電子機器は、温度を検出する温度検出部を備え、前記制御部は、前記温度検出部により所定の温度以下の温度が検出されると、前記記憶部に記憶された前記第２対応データを選択すると共に、当該選択された前記第２対応データに基づいて、前記操作部への操作が前記操作検出部により検出された場合に操作内容を実行することが好ましい。
【０００９】
また、前記筐体は、前記第２対応データに対応付けられて前記複数の操作部に含まれる各操作部であって前記筐体における配置が互いに隣接し合う関係にあるものの少なくとも一つに対して操作可能なケース部材が、着脱可能とされることが好ましい。
【００１０】
また、前記制御部は、前記ケース部材が前記筐体に装着されると、前記記憶部に記憶された前記第２対応データを選択すると共に、当該選択された前記第２対応データに基づいて、前記操作部への操作が前記操作検出部により検出された場合に操作内容を実行する
ことが好ましい。
【００１１】
また、前記筐体には、バッテリを収容するバッテリ収容空間が形成され、前記ケース部材は、前記バッテリ収容空間を閉塞可能に構成されることが好ましい。
【発明の効果】
【００１２】
本発明によれば、操作部の操作性を向上させることができる。
【図面の簡単な説明】
【００１３】
【図１】携帯電子機器の一実施形態に係る携帯電話機の外観斜視図である。
【図２】携帯電話機の分解斜視図である。
【図３】携帯電話機の機能を示す機能ブロック図である。
【図４】文字を入力する場合のキーアサインについて説明するための図である。
【図５】電話機能を使用する場合のキーアサインについて説明するための図である。
【図６】ブラウザアプリケーションを使用する場合のキーアサインについて説明するための図である。
【図７】ケース部材が装着された携帯電話機の外観斜視図である。
【図８】ケース部材の断面図である。
【図９】ケース部材がバッテリリッドを兼ねる場合の、携帯電話機の後部外観斜視図である。
【図１０】縦方向及び横方向に開閉可能な折り畳み式の携帯電話機を説明するための図である。
【発明を実施するための形態】
【００１４】
以下、本発明を実施するための好ましい実施形態について、図面を参照しながら説明する。まず、本発明の携帯電子機器の一実施形態に係る携帯電話機１の基本構造について、図１を参照しながら説明する。図１は、携帯電子機器の一実施形態に係る携帯電話機１の外観斜視図である。
【００１５】
携帯電話機１は、筐体２を備えると共に、この筐体２の前面１０に配置された複数のキー（操作部）と、表示部２１と、スピーカ２２と、マイク２３とを備える。
上述した複数のキーは、各種設定機能や辞書機能やメール機能等の各種機能を作動させるための複数の機能設定キー１３と、数字や文字を入力するための複数の第１入力キー１４と、各種操作における決定やスクロール等を行う決定キー１５とから構成される。
【００１６】
表示部２１は、通話の相手側の電話番号やメールアドレス、及びメールの内容等の各種情報（文字情報や画像情報）を表示する。表示部２１は、例えば、液晶ディスプレイや有機ＥＬ（エレクトロルミネッセンス）ディスプレイ等から構成される。
スピーカ２２は、通話の相手側の音声を出力する。
マイク２３は、携帯電話機１の使用者が通話時に発した音声を入力するために用いられる。
【００１７】
次に、携帯電話機１の内部構成について説明する。図２は、携帯電話機１の分解斜視図である。
筐体２は、フロントケース２ａと、リアケース２ｂと、バッテリリッド２ｃとを備える。フロントケース２ａとリアケース２ｂとは、互いの凹状の内側面が向き合うように配置され、互いの外周縁が重なり合うようにして結合される。リアケース２ｂには、バッテリ８１を収容するバッテリ収容空間２ｅが形成されている。また、リアケース２ｂの外面には、バッテリリッド２ｃがリアケース２ｂに対して着脱可能に結合される。バッテリリッド２ｃは、リアケース２ｂに装着された場合に、バッテリ収容空間２ｅを閉じるようになっている。
【００１８】
筐体２の内部には、表示部２１と、キー基板５０を備える回路基板５１と、バッテリ８１とが配置される。回路基板５１には、種々の電子部品（図示せず）が実装され、また電子部品を電気的に接続する回路パターン（図示せず）が形成されている。
【００１９】
図３は、携帯電話機１の機能を示す機能ブロック図である。携帯電話機１は、図３に示すように、第１入力キー１４と、操作検出部１６と、表示部２１と、スピーカ２２と、マイク２３と、ドライバＩＣ２４と、通信部４６（メインアンテナ４０及びＲＦ回路部４１）と、画像処理部４２と、音声処理部４３と、メモリ４４と、温度検出部４７と、制御部４５とを備える。
【００２０】
第１入力キー１４は、後述する第１対応データ及び後述する第２対応データのうち一方の選択を指示するための指示操作部１２を有する。
操作検出部１６は、複数の第１入力キー１４に含まれる各第１入力キーへの操作を検出する。また、操作検出部１６は、第１入力キー１４が操作された場合に、第１入力キー１４の位置情報を検出することができる。すなわち、操作検出部１６は、いずれの第１入力キー１４が操作されたかを検出することができる。
【００２１】
通信部４６を構成するメインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であってもよい。
【００２２】
通信部４６を構成するＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置に送信する。また、その一方で、ＲＦ回路部４１は、メインアンテナ４０によって受信している信号の強度を制御部４５に通知する。
【００２３】
画像処理部４２は、制御部４５の制御にしたがって、所定の画像処理を行い、処理後の画像データをドライバＩＣ２４に出力する。ドライバＩＣ２４は、画像処理部４２から供給された画像データをフレームメモリに蓄え、所定のタイミングで表示部２１に出力する。
【００２４】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２５】
また、音声処理部４３は、制御部４５の制御にしたがって、マイク２３から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２６】
メモリ４４は、例えば、ワーキングメモリを含み、制御部４５による演算処理に利用される。また、メモリ４４には、複数のアプリケーションやこのアプリケーションが必要とする各種のテーブル等が記憶されている。また、メモリ４４は、着脱可能な外部メモリを兼ねていてもよい。
温度検出部４７は、温度を検出する。
制御部４５は、携帯電話機１の全体を制御しており、中央処理装置（ＣＰＵ）等を用いて構成される。
【００２７】
このように構成される携帯電話機１は、第１入力キー１４の操作性を向上させることができるよう構成されている。
以下に、携帯電話機１に係る上記機能を発揮するための構成について詳述する。図４は、文字を入力する場合のキーアサインについて説明するための図である。図５は、電話機能を使用する場合のキーアサインについて説明するための図である。図６は、ブラウザアプリケーションを使用する場合のキーアサインについて説明するための図である。
【００２８】
上述したメモリ４４は、複数の第１入力キー１４に含まれる各第１入力キー１４に対して異なる操作内容が対応付けられた第１対応データを記憶する。また、メモリ４４は、複数の第１入力キー１４に含まれる各第１入力キー１４であって筐体２における配置が互いに隣接し合う関係にあるものに対して同一の操作内容が対応付けられた第２対応データを記憶する。
【００２９】
第１対応データとは、第１入力キー１４（図４（ａ）に示す第１入力キー１４の位置情報と）と、複数の第１入力キー１４のそれぞれに割り当てられた文字とを対応付けたキーアサインテーブル（図４（ｂ）参照）のことである。なお、本発明の第１対応データは、図４（ｂ）に示すキーアサインテーブルに限定されることはなく、他のキーアサインテーブルであってもよい。
【００３０】
また、第２対応データとは、複数の第１入力キー１４のうち互いに隣接し合う第１入力キー１４に対して同一の数字や記号や機能を対応付けたキーアサインテーブル（図５（ａ）、図６（ａ）参照）のことである。
【００３１】
図５（ａ）に示すキーアサインテーブルは、位置情報（Ｘ１、Ｙ１）（図４（ａ）に示す文字「Ｑ」が印刷された第１入力キー１４）と、位置情報（Ｘ１、Ｙ２）（図４（ａ）に示す文字「Ｗ」が印刷された第１入力キー１４）と、位置情報（Ｘ１、Ｙ３）（図４（ａ）に示す文字「Ｅ」が印刷された第１入力キー１４）とのそれぞれに数字「１」を割り当てたものである。ここで、各第１入力キー１４には、図５（ｂ）に示すように数字及び記号が割り当てられる。図５（ａ）に示すキーアサインテーブルは、電話機能を利用する場合に使用される。
【００３２】
また、図６（ａ）に示すキーアサインテーブルは、位置情報（Ｘ１、Ｙ１）（図４（ａ）に示す文字「Ｑ」が印刷された第１入力キー１４）と、位置情報（Ｘ１、Ｙ２）（図４（ａ）に示す文字「Ｗ」が印刷された第１入力キー１４）と、位置情報（Ｘ１、Ｙ３）（図４（ａ）に示す文字「Ｅ」が印刷された第１入力キー１４）とのそれぞれにカーソル（表示部２１における現在の入力位置を示す図形のこと）を左上方向に移動させる機能を割り当てたものである。ここで、各第１入力キー１４には、図６（ｂ）に示すように機能が割り当てられている。図６（ａ）に示すキーアサインテーブルは、ブラウザアプリケーションを利用する場合に使用される。
なお、本発明の第２対応データは、図５（ａ）や図６（ａ）に示すキーアサインテーブルに限定されることはなく、他のキーアサインテーブルであってもよい。
【００３３】
制御部４５は、所定の条件に応じてメモリ４４に記憶された第１対応データ及び第２対応データからいずれか一方を選択すると共に、選択された第１対応データ又は第２対応データに基づいて、第１入力キー１４への操作が操作検出部１６により検出された場合に操作内容を実行する。
【００３４】
すなわち、制御部４５は、所定の条件に応じて第１対応データ（図４（ｂ）に示すキーアサインテーブル）を選択した場合において、例えば、図４（ａ）に示す第１行第１列の第１入力キー１４（「Ｑ」が表面に印刷されている第１入力キー１４）の操作が操作検出部１６により検出されたときには、メモリ４４を参照することにより、操作された第１入力キー１４の位置情報（Ｘ１、Ｙ１）に対応する文字「Ｑ」を読み出し、エディタアプリケーションに文字「Ｑ」を入力させると共に、文字「Ｑ」が入力されたエディタアプリケーションを表示部２１に表示させる。
【００３５】
また、制御部４５は、所定の条件に応じて第２対応データ（図５（ａ）に示すキーアサインテーブル）を選択した場合において、例えば、図４（ａ）に示す第１行第１列の第１入力キー１４の操作が検出されたときには、メモリ４４を参照することにより、操作された第１入力キー１４の位置情報（Ｘ１、Ｙ１）に対応する数字「１」を読み出して、数字「１」を表示部２１に表示させる。さらに、制御部４５は、複数の数字が表示部２１に表示された状態において、電話発信キーが操作された場合には、表示部２１に表示された数字を電話番号として電話発信を行わせる。
【００３６】
また、制御部４５は、所定の条件に応じて第２対応データ（図６（ａ）に示すキーアサインテーブル）を選択した場合において、例えば、図４（ａ）に示す第１行第１列の第１入力キー１４の操作が検出されたときには、メモリ４４を参照することにより、操作された第１入力キー１４の位置情報（Ｘ１、Ｙ１）に対応する機能（カーソルを左上に移動させる機能）を実行する。
【００３７】
なお、上述した複数の第２対応データ（図５（ａ）に示すキーアサインテーブル及び図６（ａ）に示すキーアサインテーブル）のうちいずれかを選択する場合、第２対応データは、起動されているアプリケーションや機能等に応じて選択されればよい。すなわち、制御部４５は、電話機能が利用されるときには、図５（ａ）に示すキーアサインテーブルを選択すればよく、ブラウザアプリケーションが起動されているときには、図６（ａ）に示すキーアサインテーブル選択すればよい。
【００３８】
ところで、制御部４５により第２対応データが選択されている場合、ユーザによる１回の操作によって、同一の操作内容が割り当てられている複数の第１入力キー１４が押下されたときには、第１入力キー１４毎の操作内容が実行される。例えば、ユーザが表示部２１に数字「１」を表示させたい場合において、ユーザによる１回の操作によって数字「１」が割り当てられている複数の第１入力キー１４（位置情報（Ｘ１、Ｙ１）及び位置情報（Ｘ１、Ｙ２）の第１入力キー１４）のそれぞれが押下されたときには、表示部２１には数字「１１」が表示される。このため、制御部４５は、第２対応データを選択する場合には、所定の期間内に同一の操作内容が割り当てられた第１入力キー１４の操作を１回のみ受け付けるようにすれば、携帯電話機１のユーザが意図していない操作内容が実行されることを防ぐことができる。例えば、数字「１」が割り当てられている第１入力キーが所定の期間内に複数押下された場合でも、表示部２１には数字「１」が表示される。
【００３９】
上述したように、携帯電話機１は、所定の条件に応じて第２対応データが選択された場合には、隣接する第１入力キー１４に対して同一の操作内容が割り当てられる。したがって、携帯電話機１は、同一の操作内容が割り当てられたいずれの第１入力キー１４が操作された場合でも、その操作内容を実行するので、第１入力キー１４の操作性を向上させたり、誤操作を抑制したりすることができる。
【００４０】
また、制御部４５は、操作検出部１６により検出される指示操作部１２への操作に応じて、メモリ４４に記憶された第１対応データ及び第２対応データからいずれか一方を選択すると共に、選択された第１対応データ又は第２対応データに基づいて、第１入力キー１４への操作が操作検出部１６により検出された場合に操作内容を実行する。
【００４１】
指示操作部１２は、例えば、第１対応データ及び第２対応データのうち一方を選択するためのスイッチやボタン等であればよい。この場合、操作検出部１６は、指示操作部１２の操作としてのスイッチの切り替えやボタンの押下を検出する。制御部４５は、操作検出部１６により検出されたスイッチの切り替えやボタンの押下に基づいて、第１対応データ及び第２対応データを選択する。例えば、制御部４５は、ボタンが押下されていない場合には第１対応データを選択し、ボタンが押下されている場合には第２対応データを選択する。
【００４２】
したがって、携帯電話機１は、操作検出部１６により検出される指示操作部１２への操作に応じて、メモリ４４に記憶された第１対応データ及び第２対応データからいずれか一方を選択するので、ユーザの意思により第１入力キー１４に対する文字や数字等の割り当てを切り替えることができる。
【００４３】
また、制御部４５は、温度検出部４７により所定の温度以下の温度が検出されると、メモリ４４に記憶された第２対応データを選択すると共に、選択された第２対応データに基づいて、第１入力キー１４への操作が操作検出部１６により検出された場合に操作内容を実行するように構成してもよい。
【００４４】
所定の温度とは、例えば、５℃程度の温度のことである。５℃以下の温度になれば、携帯電話機１のユーザは、手袋を着用する可能性がある。あるいは、手がかじかんで思うように操作ができなくなる場合も考えられる。手袋を着用した状態で第１入力キー１４を操作する場合には、１回の操作で隣接する複数の第１入力キー１４をほぼ同時に押下する可能性が高くなる。手がかじかんでいると、操作するつもりの第１入力キー１４に隣接する第１入力キー１４を操作する場合もある。この場合、第１対応データが選択されているときには、１回の操作で複数の第１入力キー１４を押下したり、操作するつもりの第１入力キー１４に隣接する第１入力キー１４を押下したりすると、例えば、表示部２１には、複数の文字が表示されたり、意図せぬ文字が表示されたりして、ユーザが違和感をおぼえる可能性がある。このため、制御部４５は、温度検出部４７により検出される温度が所定の温度以下になった場合には、第２対応データを選択すれば、１回の操作で同一の数字等が割り当てられた第１入力キー１４を押下することになり、手袋を着用した状態や手がかじかんだ状態で第１入力キー１４を操作したときでも、例えば、表示部２１には、１つの文字が表示され、ユーザが所望する文字の入力を行うことが可能になる。なお、所定の温度は、上記の一例（５℃）に限定されることはなく、他の温度であってもよい。
【００４５】
したがって、携帯電話機１は、温度検出部４７により所定の温度以下の温度が検出された場合に、メモリ４４に記憶された第２対応データを選択するので、携帯電話機１のユーザが意図していない操作内容が実行されることを抑制することができる。
【００４６】
なお、所定の温度以下の温度となった場合に字が表示される（浮かび上がる）塗料を用いて、第１入力キーに第２対応データに対応する数字が印刷されてもよい。
これにより、第１対応データが選択される場合（温度検出部４７により所定の温度以下の温度が検出されない場合）に、第１入力キー１４の表面には文字が表示される一方、第２対応データが選択される場合（温度検出部４７により所定の温度以下の温度が検出される場合）に、第１入力キー１４の表面には文字及び数字が表示される。ここで、第１入力キー１４の表面に文字及び数字が表示される場合、文字と数字とは異なる色で表示されてもよい。
【００４７】
図７は、ケース部材２ｄが装着された携帯電話機１の外観斜視図である。
筐体２は、複数の第１入力キー１４に含まれる各第１入力キー１４であって筐体２における配置が互いに隣接し合う関係にあるものの少なくとも一つに対して操作可能なケース部材２ｄが、着脱可能とされる。
【００４８】
ケース部材２ｄには、第２対応データに対応すると共に、同一の操作内容が割り当てられた第１入力キー１４に対応する第２入力キー１７が設けられている。複数の第２入力キー１７のうちいずれか１つが押下された場合には、押下された第２入力キー１７に対応する第１入力キー１４のうち、単数又は複数の第１入力キー１４が押下される。例えば、図７に示す複数の（少なくとも１つの）第２入力キー１７のうち、左上の第２入力キー１７ａが押下された場合には、押下された第２入力キー１７ａの下側に配置される第１入力キー１４（図４（ａ）に示す場合では、位置情報（Ｘ１、Ｙ１）、位置情報（Ｘ１、Ｙ２）及び位置情報（Ｘ１、Ｙ３）の各第１入力キー１４）のうちいずれかの第１入力キー１４が第２入力キー１７ａによって押下される。
【００４９】
したがって、携帯電話機１は、ケース部材２ｄが筐体２に装着された場合には、第２入力キー１７を操作することにより、操作された第２入力キー１７に対応する第１入力キー１４を押下することができる。
【００５０】
また、制御部４５は、ケース部材２ｄが筐体２に装着されると、メモリ４４に記憶された第２対応データを選択すると共に、選択された第２対応データに基づいて、第１入力キー１４への操作が操作検出部１６により検出された場合に操作内容を実行する。
【００５１】
図８は、ケース部材２ｄの断面図である。図８（ａ）に示す場合、ケース部材２ｄには、その裏面の端部に突起部２ｆが配置されている。ケース部材２ｄが携帯電話機１に装着された場合には、ケース部材２ｄに配置された突起部２ｆが携帯電話機１に配置されたスイッチ（指示操作部１２：図８（ａ）には図示せず）を押下する。この場合、制御部４５は、操作検出部１６によりスイッチが押下されたことを検出し、第２対応データを選択する。
【００５２】
また、図８（ｂ）に示す場合、ケース部材２ｄには、その裏面に突起部２ｆが配置されている。ケース部材２ｄが携帯電話機１に装着された場合には、ケース部材２ｄに配置された突起部２ｆが携帯電話機１の指示操作部１２としての第１入力キー（図８（ｂ）には図示せず）を押下する。この場合、突起部２ｆによって押下される第１入力キーには、操作内容を実行させる機能が割り当てられてなく、第２対応データを選択させるための機能が割り当てられている。そして、制御部４５は、指示操作部１２としての第１入力キーが操作検出部１６によって押下されたことを検出し、第２対応データを選択する。
【００５３】
したがって、携帯電話機１は、ケース部材２ｄが筐体２に装着された場合に第２対応データを選択するので、ケース部材２ｄの装着に応じて第１入力キー１４に対する文字や数字等の割り当てを切り替えることができる。
【００５４】
図９は、ケース部材２ｄがバッテリリッド２ｃを兼ねる場合の、携帯電話機１の後部外観斜視図である。
上述したケース部材２ｄは、バッテリリッド２ｃを兼ねてもよい。図９に示すように、第１入力キー１４が配置されている筐体２の前面１０にケース部材２ｄが装着されない場合には、ケース部材２ｄは、バッテリリッド２ｃとして利用される。一方、ケース部材２ｄに配置された第２入力キー１７を使用して数字の入力等を行う場合には、ケース部材２ｄは、筐体２の背面から取り外されて、図７に示すように筐体２の前面１０に装着される。
【００５５】
したがって、携帯電話機１は、ケース部材２ｄがバッテリリッド２ｃを兼ねるので、ケース部材２ｄを筐体２の前面１０に装着しない場合にはリアケースに装着して、ケース部材２ｄが紛失等することを抑制することができる。
【００５６】
なお、携帯電話機は、図１に示す形態に限定されることはない。例えば、携帯電話機は、図１０に示すように、縦方向及び横方向のいずれにも開閉することが可能な折り畳み式の携帯電話機１００であてもよい。図１０（ａ）に示すように、携帯電話機１００を横方向に開いた場合、制御部４５は、第１対応データを選択する。すなわち、携帯電話機１００を横方向に開いた場合には、電話機能が利用される可能性がないので、携帯電話機１００の第１入力キー１０１には、図１０（ａ）に一例を示すように文字や記号や機能が割り当てられる。
【００５７】
一方、図１０（ｂ）に示すように、携帯電話機１００を縦方向に開いた場合、制御部４５は、第２対応データを選択する。すなわち、携帯電話機１００を縦方向に開いた場合には、電話機能が利用される可能性があるので、携帯電話機１００の第１入力キー１０１には、図１０（ｂ）に一例を示すように、電話機能が利用される場合に使用される数字や記号や機能が割り当てられる。
【００５８】
また、携帯電話機は、操作部側筐体と表示部側筐体とを重ね合わせた状態から一方の筐体を一方向にスライドさせるようにしたスライド式（図示せず）や、重ね合せ方向に沿う軸線を中心に一方の筐体を回転させるようにした回転式（図示せず）や、操作部側筐体と表示部側筐体とを２軸ヒンジを介して連結したもの（図示せず）であってもよい。
【００５９】
また、上述の実施形態では、第１入力キー１４の表面に文字を印刷した形態について説明した。しかしながら、第１入力キーの表面には、文字と共に数字等を印刷してもよい。この場合、文字及び数字のうちの一方を、夜光塗料を用いて印刷してもよい。
【００６０】
また、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）等の携帯電子機器にも適用することができる。
【符号の説明】
【００６１】
１  携帯電話機（携帯電子機器）
２  筐体
１４  第１入力キー（操作部）
１６  操作検出部
４４  メモリ（記憶部）
４５  制御部
【図１】
2011211284.tif 000003
【図２】
2011211284.tif 000004
【図３】
2011211284.tif 000005
【図４】
2011211284.tif 000006
【図５】
2011211284.tif 000007
【図６】
2011211284.tif 000008
【図７】
2011211284.tif 000009
【図８】
2011211284.tif 000010
【図９】
2011211284.tif 000011
【図１０】
2011211284.tif 000012